(57)【要約】【課題】リードスクリューとガイド軸を支持する専用部品を設ける必要がなく、レンズ鏡筒を小型化する。【解決手段】レンズを保持するレンズホルダー１１と、該レンズホルダーをレンズ光軸方向に進退移動させるリードスクリュー７と、前記レンズホルダーをレンズ光軸方向に沿って案内するガイド部材１４と、前記リードスクリューと前記ガイド部材を支持する支持部材１とを有するレンズ移動支持装置において、前記リードスクリューは一箇所で前記支持部材に回転可能に嵌合支持され、前記ガイド部材は前記支持部材に一端部の圧入により支持されている。【選択図】図３
2006106342.tif 000002
【特許請求の範囲】
【請求項１】
レンズを保持するレンズホルダーと、該レンズホルダーをレンズ光軸方向に進退移動させるリードスクリューと、前記レンズホルダーをレンズ光軸方向に沿って案内するガイド部材と、前記リードスクリューと前記ガイド部材を支持する支持部材とを有するレンズ移動支持装置において、
前記リードスクリューは一箇所で前記支持部材に回転可能に嵌合支持され、前記ガイド部材は前記支持部材に一端部の圧入により支持されていることを特徴するレンズ移動支持装置。
【請求項２】
前記リードスクリューと螺合するネジ部を前記レンズホルダーに一体に形成したことを特徴とする請求項１に記載のレンズ移動支持装置。
【請求項３】
前記リードスクリューと前記支持部材とは所定の嵌合ガタを持たせた状態で回転可能に嵌合支持されたことを特徴とする請求項１又は２に記載のレンズ移動支持装置。
【請求項４】
前記ガイド部材の圧入部の外径と、該圧入部が圧入される前記支持部材の固定孔の内径とが、径の異なる段付き形状にそれぞれ形成され、且つ偏心していることを特徴とする請求項１ないし３のいずれかに記載のレンズ移動支持装置。
【発明の詳細な説明】
【技術分野】
【０００１】
本発明は、カメラ等のレンズホルダーをレンズ光軸方向に移動可能に支持するレンズ移動支持装置に関すものである。
【背景技術】
【０００２】
従来のこの種のレンズ移動支持装置には、ステッピングモータ等を駆動源としてリードスクリューを回転させ、このリードスクリューの噛合するメネジ部を有するナットを介してレンズホルダーをレンズ光軸方向に進退移動させるものがあり、また、レンズ支持のために、ガイド軸にレンズホルダーを摺動可能に嵌合させ、レンズホルダーをレンズ光軸方向に沿ってガイドするものがある。このようなレンズ移動支持装置においては、モータの駆動軸に直接リードスクリューが設けられており、モータが回転すると、リードスクリューも同時に回転し、レンズホルダーが撮影光軸方向に進退移動する。また、ガイド軸が支持地板に圧入により支持されている（特許文献１参照）。また、リードスクリューとガイド軸が両持ち支持になっているものもある。
【特許文献１】特開２００１−６６６６５号公報（図１１）
【発明の開示】
【発明が解決しようとする課題】
【０００３】
しかしながら、上記特許文献１に記載のレンズ移動支持装置では、モータの駆動軸に直接リードスクリューが設けられているので、レンズ光軸方向の寸法がある程度大きくなってしまう。また、リードスクリューを両持ち支持にしているものにおいては、両持ち支持にするための専用部品が必要となり、部品点数が増えるばかりではなく、レンズ光軸方向の長さが必要となるため、レンズ鏡筒が大型化してしまう。また、レンズ支持のために、ガイド軸が両持ち支持になっているものにおいては、両持ち支持にするための専用部品が必要となり、部品点数が増えるばかりではなく、レンズ光軸方向の長さが必要となるため、レンズ鏡筒が大型化してしまう。
【０００４】
また、ガイド軸の一端を支持地板に圧入して片持ち支持にするものにおいては、圧入部がストレート軸であるため圧入した際、ガイド軸が傾いてしまい、光学性能が保証されないといった問題がある。
【０００５】
（発明の目的）
本発明の第１の目的は、リードスクリューとガイド軸を支持する専用部品を設ける必要がなく、レンズ鏡筒を小型化することができるレンズ移動支持装置を提供することである。
【０００６】
本発明の第２の目的は、本発明の第１の目的を達成すると共に、光学性能を精度良く保証することができるレンズ移動支持装置を提供することである。
【課題を解決するための手段】
【０００７】
上記第１の目的を達成するために、請求項１ないし３に記載の本発明は、レンズを保持するレンズホルダーと、該レンズホルダーをレンズ光軸方向に進退移動させるリードスクリューと、前記レンズホルダーをレンズ光軸方向に沿って案内するガイド部材と、前記リードスクリューと前記ガイド部材を支持する支持部材とを有するレンズ移動支持装置において、前記リードスクリューが一箇所で前記支持部材に回転可能に嵌合支持され、前記ガイド部材が前記支持部材に一端部の圧入により支持されていることを特徴するものである。
【０００８】
上記第２の目的を達成するために、請求項４に記載の本発明は、請求項１ないし３のいずれかに記載のレンズ移動支持装置において、前記ガイド部材の圧入部の外径と、該圧入部が圧入される前記支持部材の固定孔の内径とが、径の異なる段付き形状にそれぞれ形成され、且つ偏心していることを特徴とするものである。
【発明の効果】
【０００９】
本発明によれば、リードスクリューとガイド軸を支持する専用部品を設ける必要がなく、レンズ鏡筒を小型化することができる。
【００１０】
さらに、本発明によれば、光学性能を精度良く保証することができる。
【発明を実施するための最良の形態】
【００１１】
本発明を実施するための最良の形態は、後述する実施例に記載の通りである。
【実施例】
【００１２】
図１ないし図５は本発明の実施例に係わるレンズ移動支持装置を示す図であり、詳しくは、図１はレンズ移動に関連する構成を示す分解斜視図、図２はリードスクリューの支持構造を示す部分断面図、図３はレンズ支持に関連する構成を示す分解斜視図、図４はガイドバーの支持構造を示す部分断面図、図５はＣＣＤ地板の固定孔の内径の偏心状態を示す部分断面図である。
【００１３】
図１を用いてレンズ移動に関連ずる構成について説明する。図１において、１はＣＣＤ地板であり、駆動モータ２、減速ギア４，５、リードスクリュー７、減速ギア４，５及びリードスクリュー７を保持するギアカバー８が取り付けられている。このＣＣＤ地板１には、不図示の光学ローパスフィルタと撮像素子を収納する撮影光軸中心部に撮像素子室１ａと、減速ギア５を回転可能に嵌合支持する支持軸１ｂと、リードスクリュー７を回転可能に嵌合支持する支持孔１ｃと、後述するガイドバー１４を固定する固定孔１ｄが形成されている。
【００１４】
駆動モータ２は、モータ回転軸にギア３が圧入されたものであり、固定ビス９によりＣＣＤ地板１に保持されている。この駆動モータ２のフランジ部２ａには減速ギア４を回転可能に嵌合支持する支持軸２ｂが設けられており、減速ギア４が回転可能に嵌合支持されている。
【００１５】
減速ギア４は、駆動モータ２の支持軸２ｂに回転可能に嵌合支持され、ギア３と噛み合うことで駆動モータ２の回転力が伝達される。また、減速ギア５は、ＣＣＤ地板１の支持軸１ｂに回転可能に嵌合支持され、減速ギア４と噛み合うことで駆動モータ２の回転力が伝達される。支持軸１ｂ，２ｂの先端はギアカバー８に保持され、ギアカバー８はＣＣＤ地板１に固定される。
【００１６】
リードスクリュー７は、撮影光軸（レンズ光軸）と平行に配置され、ギア６が圧入された近傍でＣＣＤ地板１の支持孔１ｃに回転可能に嵌合支持され、その先端部７ｂがギアカバー８に当接することによりリードスクリュー７のレンズ光軸方向の位置決めがなされると共に、ＣＣＤ地板１に一箇所（支持孔１ｃ）で支持される。このリードスクリュー７には、一体で回転するギア６が圧入されており、減速ギア５と噛み合うことで駆動モータ２の回転力が伝達される。ギア６の圧入位置とは嵌合部７ｄを間にして離れた位置に、レンズホルダー１１（図３）をレンズ光軸方向に移動させるためのオネジ部７ｃが形成されている。
【００１７】
ギアカバー８は、２本の固定ビス１０によりＣＣＤ地板１に固定されることで、減速ギア４，５とリードスクリュー７をＣＣＤ地板１に保持している。
【００１８】
図２を用いてリードスクリュー７の支持構造について説明する。図２において、リードスクリュー７はリードスクリュー７の嵌合部７ｄとＣＣＤ地板１の支持孔１ｃとの間に所定の嵌合ガタを持たせた状態で回転可能に嵌合支持されている。所定の嵌合ガタは、レンズホルダー１１がレンズ光軸方向に繰り出した状態で、リードスクリュー７が回転してリードスクリュー７が傾いても、リードスクリュー７のオネジ部７ｃがレンズホルダー１１の孔１１ｅと干渉しない嵌合ガタ量である。このリードスクリュー７のオネジ部７ｃの端部は支持されておらず、リードスクリュー７の嵌合部７ｄとＣＣＤ地板１の支持孔１ｃの一箇所で嵌合されることで支持されている。すなわち、このリードスクリュー７は片持ち支持状態でＣＣＤ地板１に回転可能に嵌合支持されている。また、リードスクリュー７には一定の嵌合ガタを持たせているので、嵌合ガタ分、リードスクリュー７が傾いても、リードスクリュー７の先端部７ｂがギアカバー８に食い付かないようにするため、先端部７ｂを球面形状にしている。このリードスクリュー７のオネジ部７ｃはナット１３のメネジ部１３ａと螺合し、レンズホルダー１１の孔１１ｅを貫通している。
【００１９】
図３を用いてレンズ支持に関連する構成について説明する。図３において、１１はレンズホルダーであり、撮影レンズ１２、ナット１３、ガイドバー１４、引張りスプリング１５が取り付けられている。このレンズホルダー１１には、撮影レンズ１２が加締めにより保持されており、レンズホルダー１１のガイド孔１１ｂとガイドバー１４の嵌合部１４ａが摺動可能に嵌合することで、レンズホルダー１１はＣＣＤ地板１に支持され、レンズホルダー１１の振れ止め溝部１１ｃがＣＣＤ地板１にレンズ光軸と平行に形成された振れ止め軸１ｅと摺動可能に嵌合することで、レンズホルダー１１の回転方向の振れが止められている。
【００２０】
ナット１３は、リードスクリュー７のオネジ部７ｃと螺合するメネジ部１３ａが形成されたものであり、レンズホルダー１１の収納部１１ａに摺動可能に収納され、ナット１３に形成された長溝部１３ｂがレンズホルダー１１に形成された不図示の振れ止め軸に挿入されることで、ナット１３の回転方向の振れが止められている。本実施例において、ナット１３とレンズホルダー１１は別部品で構成されているが、リードスクリュー７の嵌合部７ｄとＣＣＤ地板１の支持孔１ｃとの間に一定の嵌合ガタを持たせた状態でリードスクリュー７を支持していることから、レンズホルダー１１とナット１３を一体化しても構わない。
【００２１】
ガイドバー１４は、レンズ光軸と平行に配置され、ＣＣＤ地板１の固定孔１ｄに一端部が圧入されることにより片持ち支持されており、ガイドバー１４の嵌合部１４ａにレンズホルダー１１のガイド孔１１ｂを摺動可能に嵌合させることで、レンズホルダー１１はＣＣＤ地板１に支持される。
【００２２】
引張りスプリング１５は、一方がＣＣＤ地板１に形成されたフック１ｆ、他方がレンズホルダー１１のガイド孔１１ｂの近傍に形成されたフック１１ｄにかけられたものであり、レンズホルダー１１を繰り込み方向に付勢している。
【００２３】
図４を用いてガイドバー１４の支持構造について説明する。図４において、ガイドバー１４の、圧入部１４ｂとは反対端の嵌合部１４ａの先端部は支持されておらず、ガイドバー１４の圧入部１４ｂがＣＣＤ地板１の固定孔１ｄに圧入されていることによって一端部で支持されている。すなわち、このガイドバー１４はリードスクリュー７と同様、片持ち支持状態でＣＣＤ地板１に支持されている。ガイドバー１４が片持ち支持状態で支持されているため、ガイドバー１４が傾くと、ガイドバー１４に支持されているレンズホルダー１１も同様に傾いてしまい、光学性能が保証されなくなることから、ガイドバー１４の傾きを保証することが重要になる。そこで、ＣＣＤ地板１の固定孔１ｄの加工精度によってガイドバー１４の傾きが決まることから、ガイドバー１４の圧入部１４ｂの外径形状とＣＣＤ地板１の固定孔１ｄの内径形状に径が異なる段付き形状にすることでガイドバー１４の傾きを補正するようにしている。
【００２４】
図４及び図５を用いてガイドバーの傾き補正方法について説明する。図５において、ガイドバー１４の傾き補正は、ＣＣＤ地板１の固定孔１ｄの内径ｄ１，ｄ２を偏心させて行う。偏心方法としては、ＣＣＤ地板１の固定孔１ｄの内径ｄ１の中心に対してＣＣＤ地板１の固定孔１ｄの内径ｄ２の中心を偏心させる。本実施例においては、ＣＣＤ地板１の固定孔１ｄの内径ｄ１，ｄ２を偏心させてガイドバー１４の補正を行う構成になっているが、ガイドバー１４の圧入部１４ｂの外径Ｄ１，Ｄ２を偏心させてガイドバー１４の傾き補正を行ってもよい。また、内径ｄ１の中心に対してｄ２の中心を偏心させてガイドバー１４の補正を行う構成になっているが、内径ｄ２の中心に対してｄ１の中心を偏心させてガイドバー１４の傾き補正を行ってもよい。
【００２５】
次に上記実施例の動作について説明する。
【００２６】
駆動モータ２が回転すると、回転力はギア３、減速ギア４，５を介してギア６に伝達される。回転力が伝達されたギア６が回転すると、ギア６とリードスクリュー７も同方向に回転する。リードスクリュー７が回転すると、ナット１３は不図示の振れ止め軸により回転を抑制されているので、リードスクリュー７のオネジ部７ｃのリードに沿ってレンズ光軸方向に動かされる。ナット１３はレンズホルダー１１の収納部１１ａに収納されているので、ナット１３の動きは直接レンズホルダー１１に伝達され、レンズホルダー１１はガイドバー１４の嵌合部１４ａに沿ってレンズ光軸方向に進退移動する。
【００２７】
本実施例によれば、リードスクリュー７及びガイドバー１４を片持ち支持にすることで、支持する専用部品を設けることがなくなり、部品点数の低減を図ることができ、更にレンズ鏡筒を非撮影状態である沈端位置にした際、レンズ鏡筒を構成する部品をリードスクリュー７及びガイドバー１４近傍まで移動させることができるので、レンズ鏡筒を小型化することができる。また、ＣＣＤ地板１の固定孔１ｄとガイドバー１４の圧入部１４ｂを径が異なる段付き形状にすることで、ガイドバー１４の傾き補正を容易に行うことができ、光学性能を精度良く保証することができる。また、リードスクリュー７の嵌合部７ｄとＣＣＤ地板１の支持孔１ｃとの間に一定の嵌合ガタを持たせた状態でリードスクリュー７をＣＣＤ地板１に支持していることから、レンズホルダー１１とナット１３を一体化することができ、部品点数の低減を図ることができる。
【産業上の利用可能性】
【００２８】
本発明は、デジタルカメラ、銀塩カメラ、ビデオカメラ、双眼鏡、その他の光学機器のレンズホルダーをレンズ光軸方向に移動可能に支持する装置として使用することができる。
【図面の簡単な説明】
【００２９】
【図１】本発明の実施例における、レンズ移動に関連する構成を示す分解斜視図である。
【図２】本発明の実施例における、リードスクリューの支持構造を示す部分断面図である。
【図３】本発明の実施例における、レンズ支持に関連する構成を示す分解斜視図である。
【図４】本発明の実施例における、ガイドバーの支持構造を示す部分断面図である。
【図５】本発明の実施例における、ＣＣＤ地板の固定孔の内径の偏心状態を示す部分断面図である。
【符号の説明】
【００３０】
１      ＣＣＤ地板（支持部材）
１ｃ    支持孔
１ｄ    固定孔
７      リードスクリュー
７ｂ    先端部
７ｃ    オネジ部
７ｄ    嵌合部
８      ギアカバー
１１    レンズホルダー
１１ａ  収納部
１１ｂ  ガイド孔
１１ｃ  振れ止め溝部
１１ｅ  孔
１２    撮影レンズ
１３    ナット
１３ａ  メネジ部
１３ｂ  長溝部
１４    ガイドバー（ガイド部材）
１４ａ  嵌合部
１４ｂ  圧入部
【図１】
2006106342.tif 000003
【図２】
2006106342.tif 000004
【図３】
2006106342.tif 000005
【図４】
2006106342.tif 000006
【図５】
2006106342.tif 000007